(57)【要約】【課題】仮設足場の構成部材を搬入・搬出・保管する際、ＲＦＩＤシステムにより構成部材の種類別の数量を管理可能とするシステムに関して、パイプ材を備えた構成部材にＩＣタグを装着するためのタグ装着具を提供する。【解決手段】仮設足場の構成部材にＩＣタグを装着し、前記構成部材が搬入・搬出・保管の少なくとも１つの場合に該構成部材に装着されたＩＣタグの情報を読取機で読取ることにより、構成部材の種類別の数量を管理するシステムに関して、金属パイプ材(1a)を備えた構成部材にＩＣタグ(6)を装着するタグ装着具(5)であり、前記パイプ材(1a)の外周面を着脱自在に抱持する本体(7)と、該本体を前記パイプ材の軸方向に摺動自在かつパイプ材の外周面に固定自在とする摺動固定手段(8)と、前記本体の外側に向けてＩＣタグを電磁的非シールド状態で保持する保持手段(9)を備えている。【選択図】図２
2019073866.tif 000002
【特許請求の範囲】
【請求項１】
ＩＣタグと読取機によりＲＦＩＤシステムを構成しており、仮設足場の構成部材にＩＣタグを装着し、前記構成部材が搬入・搬出・保管の少なくとも１つの場合に該構成部材に装着されたＩＣタグの情報を読取機で読取ることにより、構成部材の種類別の数量を管理するシステムに関して、
金属パイプ材(1a)を備えた構成部材にＩＣタグ(6)を装着するタグ装着具(5)であり、
タグ装着具(5)は、前記パイプ材(1a)の外周面を着脱自在に抱持する本体(7)と、該本体を前記パイプ材の軸方向に摺動自在かつパイプ材の外周面に固定自在とする摺動固定手段(8)と、前記本体の外側に向けてＩＣタグを電磁的非シールド状態で保持する保持手段(9)とから成ることを特徴とする仮設足場の部材管理システムにおけるタグ装着具。
【請求項２】
前記タグ装着具の摺動固定手段(8)は、前記本体(7)を前記パイプ材(1a)の外周面に弾接することにより摺動自在に固定する弾接手段(12)により構成されて成ることを特徴とする請求項１に記載の仮設足場の部材管理システムにおけるタグ装着具。
【発明の詳細な説明】
【技術分野】
【０００１】
本発明は、仮設足場の構成部材を搬入・搬出・保管する際、ＲＦＩＤシステムにより構成部材の種類別の数量を管理可能とするシステムに関して、パイプ材を備えた構成部材にＩＣタグを装着するためのタグ装着具に関する。
【背景技術】
【０００２】
仮設足場は、支柱や、横架材や、足場板や、方丈材や、先行手摺や、その他の多数の構成部材により構成されており、これらの構成部材は、現場に搬入後に仮設足場を構築し、作業目的を終えると解体後に搬出され、倉庫等に保管される。
【０００３】
そこで、多数の構成部材を種類別にその数量を管理するためには、搬入時や、搬出時や、保管時に、管理者がカウンターで個数を計算しながら種類別に記録しなければならず、労力と時間を消費する。
【０００４】
この点に関して、近年、物販等の分野において、ＲＦＩＤシステム（Radio Frequency Identification System）が活用されており、これを仮設足場の構成部材の管理のために導入すれば、構成部材の種類別の数量の管理が容易となる。
【０００５】
このようなＲＦＩＤシステムは、仮設足場の管理システムとして導入する場合、足場の各構成部材に所定情報を格納したＩＣタグを装着し、搬入・搬出・保管に際して、各ＩＣタグの情報を読取機で読取ると共に、コンピュータ処理すれば良い。
【先行技術文献】
【特許文献】
【０００６】
仮設足場の構成部材を管理するためのＲＦＩＤシステムに関して記述した先行技術文献は存在しない。
【発明の概要】
【発明が解決しようとする課題】
【０００７】
ところで、ＲＦＩＤシステムには、電磁誘導方式と電波方式が存在しているが、何れの方式の場合でも、読取機の近くをＩＣタグが通過すると、読取機の電磁波又は電波を受けることによりＩＣタグから情報が送信され、読取機に入力される。このため、例えば、仮設足場の構成部材が足場板の場合は、床板の裏側面にＩＣタグを貼着しておけば良い。これにより、床板の裏側は開放されているので、ＩＣタグと読取機の間における送受信が妨げられることはなく、しかも、仮設足場の構築中に、ＩＣタグが作業者により踏み付けられることはない。
【０００８】
しかしながら、仮設足場の構成部材が金属パイプから成る支柱の場合、支柱は、仮設足場を構築した状態で、現場毎に支柱外周面の任意の個所に種々の部材のクランプ金具を締結する必要を生じることがあるため、外周面にＩＣタグを貼着することは好ましくない。
【０００９】
そこで、支柱の金属パイプの内面にＩＣタグを貼着すると、パイプにより電磁的にシールドされ、ＩＣタグと読取機の間における送受信が妨げられ、ＲＦＩＤシステムが良好に機能しないという問題がある。
【００１０】
このような問題は、仮設足場の構成部材のうち、支柱に限らず、クランプ金具を締結される可能性のある金属パイプ材を備えた構成部材に共通する課題である。
【００１１】
上記に鑑み、本発明は、金属パイプ材を備えた仮設足場の構成部材に対してＩＣタグを良好に装着することができるようにしたタグ装着具を提供するものである。
【課題を解決するための手段】
【００１２】
そこで、本発明が手段として構成したところは、ＩＣタグと読取機によりＲＦＩＤシステムを構成しており、仮設足場の構成部材にＩＣタグを装着し、前記構成部材が搬入・搬出・保管の少なくとも１つの場合に該構成部材に装着されたＩＣタグの情報を読取機で読取ることにより、構成部材の種類別の数量を管理するシステムに関して、金属パイプ材を備えた構成部材にＩＣタグを装着するタグ装着具であり、タグ装着具は、前記パイプ材の外周面を着脱自在に抱持する本体と、該本体を前記パイプ材の軸方向に摺動自在かつパイプ材の外周面に固定自在とする摺動固定手段と、前記本体の外側に向けてＩＣタグを電磁的非シールド状態で保持する保持手段とから成る点にある。
【００１３】
前記タグ装着具の摺動固定手段は、前記本体を前記パイプ材の外周面に弾接することにより摺動自在に固定する弾接手段により構成することが好ましい。
【発明の効果】
【００１４】
本発明によれば、タグ装着具５は、本体７が金属パイプ材１ａの外周面を着脱自在に抱持する構成であるから、例えば、支柱１の外周面の任意個所に後付けにより装着することが可能である。つまり、フランジ等の緊結手段１ｂを設けた支柱１においても、上下の緊結手段１ｂ、１ｂの間に位置する所望個所に装着することができる
【００１５】
この際、タグ装着具５は、本体７を前記パイプ材１ａの軸方向に摺動可能とする摺動固定手段８を備えているので、仮設足場の構築中に、もしも、タグ装着具５が種々の部材のクランプ金具４と干渉する位置に装着されているときは、干渉しない位置に摺動させることができ、前記クランプ金具４をパイプ材１ａに締結可能とする利点がある。
【００１６】
そして、ＩＣタグ６は、保持手段９を介して本体７の外側に向けて電磁的非シールド状態で保持されているので、ＩＣタグと読取機の間における送受信を可能にし、ＲＦＩＤシステムによる構成部材の種類別の数量の管理を実現することができる効果がある。
【図面の簡単な説明】
【００１７】
【図１】仮設足場の１例を示しており、（Ａ）は構築中の仮設足場の一部を示す斜視図、（Ｂ）本発明の１実施形態に係るタグ装着具を装着した支柱にクランプ金具を締結した状態を示す斜視図である。
【図２】本発明の第１実施形態を示しており、（Ａ）は支柱に装着する前のタグ装着具を示す斜視図、（Ｂ）は支柱に装着した状態のタグ装着具を示す斜視図である。
【図３】第１実施形態の作用を示しており、（Ａ）はタグ装着具を支柱に装着中の状態を示す断面図、（Ｂ）は装着後の状態を示す断面図である。
【図４】本発明の第２実施形態を示しており、（Ａ）は支柱に装着する前のタグ装着具を示す斜視図、（Ｂ）は支柱に装着した状態のタグ装着具を示す斜視図である。
【図５】第２実施形態の作用を示しており、（Ａ）はタグ装着具を支柱に装着中の状態を示す断面図、（Ｂ）は装着後の状態を示す断面図である。
【図６】本発明の第３実施形態を示しており、（Ａ）は支柱に装着する前のタグ装着具を示す斜視図、（Ｂ）は支柱に装着した状態のタグ装着具を示す斜視図である。
【図７】第３実施形態の作用を示しており、（Ａ）はタグ装着具を支柱に装着中の状態を示す断面図、（Ｂ）は装着後の状態を示す断面図である。
【発明を実施するための形態】
【００１８】
以下図面に基づいて本発明の好ましい実施形態を詳述する。
【００１９】
（仮設足場）
図１（Ａ）は、構築中の仮設足場の１例を示しており、１組の支柱１、１は、横架材２により連結されると共に、図示省略しているが、所定間隔をあけて順次配置され、隣り合う横架材２、２に足場板３が架設される。
【００２０】
仮設足場は、支柱１や、横架材２や、足場板３の他、図示省略しているが、種々の多数の構成部材により構成されている。
【００２１】
本発明は、このような仮設足場の構成部材を管理するため、ＲＦＩＤシステム（Radio Frequency Identification System）を採用しており、従って、各構成部材に所定情報を格納したＩＣタグを装着し、搬入・搬出・保管の少なくとも１つの場合又は複数の場合において、各ＩＣタグの情報を読取機で読取ると共に、コンピュータ処理するように構成している。例えば、足場板３は、床板の裏側面にＩＣタグを開放状態で貼着している。
【００２２】
そこで、金属パイプ材１ａを備えた構成部材、例えば、図示の支柱１の場合、図１（Ｂ）に示すように、軸方向に間隔をあけてフランジ等から成る緊結手段１ｂを固設し、該緊結手段１ｂに対して前記横架材２を緊結するように構成されている。緊結手段１ｂがフランジにより構成されている場合は、楔緊結方式が採用されるが、これに限定されるものではなく、フランジ以外の構成であっても良い。
【００２３】
そして、支柱１は、図１（Ｂ）に示すように、現場毎に、該支柱の外周面の任意個所に種々の部材のクランプ金具４を締結する必要を生じることがある。
【００２４】
このような条件に鑑み、支柱１には、本発明のタグ装着具５を使用することによりＩＣタグ６が装着されている。
【００２５】
このため、タグ装着具５に求められる条件は、（１）上下に緊結手段１ｂ、１ｂを備えた支柱１に対しても任意の外周面に後付けにより装着可能であること、（２）常時は支柱１の外周面に固定されるが、クランプ金具４が干渉するときは支柱１の軸方向に摺動することにより干渉しない位置に移動できること、（３）ＲＦＩＤシステムを正常に機能させるようにＩＣタグ６を大気に向けて電磁的非シールド状態で保持することである。
【００２６】
従って、同様の条件が求められる金属パイプ１ｂを有する仮設足場の構成部材であれば、支柱１に限らず、その他の構成部材においても本発明のタグ装着具５を使用することが好ましい。
【００２７】
（第１実施形態）
図２及び図３は、タグ装着具５の第１実施形態を示している。タグ装着具５は、金属パイプ材１ａの外周面を着脱自在に抱持する本体７と、該本体７を前記パイプ材１ａの軸方向に摺動自在かつパイプ材１ａの外周面に固定自在とする摺動固定手段８と、前記本体７の外側面にＩＣタグ６を電磁的非シールド状態で保持する保持手段９を備えている。
【００２８】
タグ装着具５は、可撓性ないし弾性を有する合成樹脂により一体成形されており、正面側に額縁状のリブを有する凹部９ａから成る保持手段９を備え、該凹部９ａにＩＣタグ６を嵌入状態で接着手段等により固着すると共に、該保持手段９の両側から両側壁１０ａ、１０ａを延設することにより全体として断面Ｃ形の本体７を形成している。
【００２９】
前記両側壁１０ａ、１０ａは、相互に対向する先端縁の間に形成された開口部１１を広げるように弾性変形自在であり、弾性復元力により開口部１１を狭めたとき前記パイプ材１ａの外周面に弾接する弾接手段１２を両側壁１０ａ、１０ａの内側面に備えており、該弾接手段１２により前記摺動固定手段８を構成している。
【００３０】
従って、図２（Ａ）及び図３（Ａ）に示すように、前記開口部１１を広げることにより、本体７は、金属パイプ材１ａの任意の外周面を後付けにより抱持することが可能であり、抱持した状態で、図２（Ｂ）及び図３（Ｂ）に示すように、前記弾接手段１２により構成された摺動固定手段８が本体７を金属パイプ材１ａの外周面に固定する。
【００３１】
ところで、上述のように金属パイプ材１ａにクランプ金具４を締結しようとする際、該鞍プ金具４がタグ装着具５に干渉するときは、金属パイプ材１ａの軸方向に向けて本体７に比較的強い力を与えてやれば、前記弾接手段１２の弾接力に抗して、本体７を干渉しない位置に摺動させることができる。
【００３２】
そして、ＩＣタグ６は、図３に実線で示すように大気に向けて露出状態で保持しても良いが、鎖線で示すように、表面を保護するための保護手段９ｂにより被覆することが好ましい。この際、保護手段９ｂは、非金属材で形成し又は金属材であっても薄肉に形成することにより、ＲＦＩＤシステムを正常に機能させることができる。つまり、ＩＣタグ６は、大気に対して電磁的非シールド状態で保持されていれば良い。
【００３３】
更に、全ての実施形態において、図例の場合は、ほぼ円筒状の本体７に対して、板状のＩＣタグ６を平板状態として保持させているが、円弧状に湾曲したＩＣタグ６を形成し、本体７の周方向に沿って保持させるように構成しても良い。
【００３４】
（第２実施形態）
図４及び図５は、タグ装着具５の第２実施形態を示している。タグ装着具５は、金属パイプ材１ａの外周面を着脱自在に抱持する本体７と、該本体７を前記パイプ材１ａの軸方向に摺動自在かつパイプ材１ａの外周面に固定自在とする摺動固定手段８と、前記本体７の外側に向けてＩＣタグ６を電磁的非シールド状態で保持する保持手段９を備えている。
【００３５】
タグ装着具５は、合成樹脂により一体成形されており、正面側に額縁状のリブを有する凹部９ａから成る保持手段９を備え、該凹部９ａにＩＣタグ６を嵌入状態で接着手段等により固着すると共に、該保持手段９の両側から薄肉ヒンジ等のヒンジ手段１３を介して両側壁１０ｂ、１０ｂを延設しており、両側壁１０ｂ、１０ｂは、先端縁を衝合させられたとき、全体として断面円環状の本体７を構成する。
【００３６】
前記両側壁１０ｂ、１０ｂは、それぞれ内向きに湾曲する弾性爪部１４を設けており、両側壁１０ｂ、１０ｂの先端縁を対向して衝合させたとき、相互に係脱自在に係着する係止手段１５ａ、１５ｂを設けている。尚、図例の場合、受孔と挿着爪により係止手段１５ａ、１５ｂを構成しているが、このような構成に限定されるものではない。
【００３７】
従って、図４（Ａ）及び図５（Ａ）に示すように、前記ヒンジ手段１３を介して両側壁１０ｂ、１０ｂを相互に離反させることにより開き、金属パイプ材１ａを挟んだ状態で、両側壁１０ｂ、１０ｂを閉じさせ、前記係止手段１５ａ、１５ｂを係着することにより、本体７は、金属パイプ材１ａの任意の外周面を後付けにより抱持することが可能である。この際、図４（Ｂ）及び図５（Ｂ）に示すように、前記弾性爪部１４が弾性変形されることにより金属パイプ材１ａの外周面に弾接する弾接手段１２を構成し、該弾接手段１２により構成された摺動固定手段８が本体１を金属パイプ材１ａの外周面に固定する。
【００３８】
ところで、上述のように金属パイプ材１ａにクランプ金具４を締結しようとする際、該鞍プ金具４がタグ装着具５に干渉するときは、金属パイプ材１ａの軸方向に向けて本体７に比較的強い力を与えてやれば、前記弾性爪部１４により構成された弾接手段１２の弾接力に抗して、本体７を干渉しない位置に摺動させることができる。
【００３９】
そして、ＩＣタグ６は、大気に向けて電磁的非シールド状態で保持されているので、ＲＦＩＤシステムを正常に機能させることができる。
【００４０】
（第３実施形態）
図６及び図７は、タグ装着具５の第３実施形態を示している。タグ装着具５は、金属パイプ材１ａの外周面を着脱自在に抱持する本体７と、該本体７を前記パイプ材１ａの軸方向に摺動自在かつパイプ材１ａの外周面に固定自在とする摺動固定手段８と、前記本体７の外側に向けてＩＣタグ６を電磁的非シールド状態で保持する保持手段９を備えている。
【００４１】
タグ装着具５は、本体７を第１部材７ａと第２部材７ｂに分割した構成とされている。第１部材７ａは、正面側に額縁状のリブを有する凹部９ａから成る保持手段９を備え、該凹部９ａにＩＣタグ６を嵌入状態で接着手段等により固着すると共に、該保持手段９の両側から両側壁１０ｃ、１０ｃを延設し、該両側壁１０ｃ、１０ｃの内周面を楕円の円弧状に形成している。第２部材７ｂは、第１部材７ａに対向する円弧壁１０ｄを備えており、該円弧壁１０ｄの内周面を楕円の円弧状に形成している。従って、第１部材７ａと第２部材７ｂの両側縁を衝合させたとき、前記両側壁１０ｃ、１０ｃと円弧壁１０ｄの内周面により楕円形の空間が形成される。尚、第１部材７ａと第２部材７ｂは、それぞれ可撓性ないし弾性を有する合成樹脂により成形されている。
【００４２】
前記第１部材７ａと第２部材７ｂは、両側縁を対向させて衝合したとき、両側縁のそれぞれに位置して相互に係脱自在に係着する係止手段１５ｃ、１５ｄを設けている。尚、図例の場合、受孔と挿着爪により係止手段１５ｃ、１５ｄを構成しているが、このような構成に限定されるものではない。
【００４３】
従って、図６（Ａ）及び図７（Ａ）に示すように、第１部材７ａと第２部材７ｂを金属パイプ材１ａの両側に臨ませ、その後、金属パイプ材１ａを挟んで合掌させ、この状態で前記係止手段１５ｃ、１５ｄを係着することにより、本体７は、金属パイプ材１ａの任意の外周面を後付けにより抱持することが可能である。この際、第１部材７ａの両側壁１０ｃ、１０ｃと第２部材７ｂの円弧壁１０ｄの内周面により形成された楕円形の空間は、真円形の金属パイプ材１ａの外周面に接した状態から、図７（Ａ）に矢印で示すように前記係止手段１５ｃ、１５ｄにより引き寄せられるので、これにより変形しつつ圧接力を増しながら金属パイプ材１ａの外周面に弾接される。これにより、図６（Ｂ）及び図７（Ｂ）に示すように、第１部材７ａと第２部材７ｂの対向面が金属パイプ材１ａの外周面に弾接させられる弾接手段１２を構成し、該弾接手段１２により構成された摺動固定手段８により、本体１を金属パイプ材１ａの外周面に固定する。
【００４４】
ところで、上述のように金属パイプ材１ａにクランプ金具４を締結しようとする際、該鞍プ金具４がタグ装着具５に干渉するときは、金属パイプ材１ａの軸方向に向けて本体７に比較的強い力を与えてやれば、前記弾接手段１２の弾接力に抗して、本体７を干渉しない位置に摺動させることができる。
【００４５】
そして、ＩＣタグ６は、大気に向けて電磁的非シールド状態で保持されているので、ＲＦＩＤシステムを正常に機能させることができる。
【符号の説明】
【００４６】
１  支柱
１ａ  金属パイプ材
１ｂ  緊結手段
２  横架材
３  足場板
４  クランプ金具
５  タグ装着具
６  ＩＣタグ
７  本体
７ａ  第１部材
７ｂ  第２部材
８  摺動固定手段
９  保持手段
９ａ  凹部
９ｂ  保護手段
１０ａ、１０ｂ、１０ｃ  両側壁
１０ｄ  円弧壁
１１  開口部
１２  弾接手段
１３  ヒンジ手段
１４  弾性爪部
１５ａ、１５ｂ、１５ｃ、１５ｄ  係止手段
【図１】
2019073866.tif 000003
【図２】
2019073866.tif 000004
【図３】
2019073866.tif 000005
【図４】
2019073866.tif 000006
【図５】
2019073866.tif 000007
【図６】
2019073866.tif 000008
【図７】
2019073866.tif 000009